(57)【要約】【課題】  ぶどう棚構造に対して四角筒形状の野縁（即ち、四角筒形状の部材）を容易且つ作業性良く直接取付けることができるようにした天井下地構造を提供する。【解決手段】  所定間隔で平行に並ぶ多数の中空な第１の金属製角形筒１と該金属製角形筒１に直交して所定間隔で平行に並ぶ多数の第２の金属製角形筒２とからなり、前記第１の金属製角形筒１あるいは前記第２の金属製角形筒２を吊りボルト３ を用いて建物の構造物２６から吊り下げるように構成された天井下地構造において、前記第１の金属製角形筒１と前記第２の金属製角形筒２とに、両者を貫通する挿通孔１ａ，２ａを予じめ形成するとともに、該挿通孔１ａ，２ａに対して嵌挿される結合用ボルト１０により両者を結合して、第１の金属製角形筒１と第２の金属製角形筒２とを結合するに際して、予じめ形成された両者を貫通する挿通孔１ａ，２ａに結合用ボルト１０を嵌挿するだけで、第１の金属製角形筒１と第２の金属製角形筒２とを直接強固に結合させることが可能となるようにしている。【選択図】  図２
2014177860.tif 000002
【特許請求の範囲】
【請求項１】
所定間隔で平行に並ぶ多数の中空な第１の金属製角形筒（１），（１）・・と該金属製角形筒（１），（１）・・に直交して所定間隔で平行に並ぶ多数の第２の金属製角形筒（２），（２）・・とからなり、前記第１の金属製角形筒（１），（１）・・あるいは前記第２の金属製角形筒（２），（２）・・を吊りボルト（３）,（３）・・を用いて建物の構造物（２６）から吊り下げるように構成された天井下地構造において、前記第１の金属製角形筒（１），（１）・・うちの選ばれたものと前記第２の金属製角形筒（２），（２）・・のうちの選ばれたものとに、両者を貫通する挿通孔（１ａ），（２ａ）を予じめ形成するとともに、該挿通孔（１ａ），（２ａ）に対して嵌挿される結合用ボルト（１０）により両者を結合したことを特徴とする天井下地構造。
【請求項２】
前記第１の金属製角形筒（１）．（１）・・あるいは前記第２の金属製角形筒（２），（２）・・のうちの選ばれたものと前記建物の構造物（２６）とを、中空な金属製角形筒からなる斜め補強部材（２０）で連結したことを特徴とする請求項１記載の天井下地構造。
【請求項３】
前記斜め補強部材（２０）の上端部を、該斜め補強部材（２０）の上端部における相対向する二面を抱持した状態で取り付けられる一対の抱持片（２２ａ），（２２ａ）における前記斜め補強部材（２０）の上端側を連結片（２２ｉ）で一体に連結してなる取付手段（２２Ａ）と、前記建物の構造物であるコンクリート壁（２６）に対して下向きに取り付けた断面コ字状の結合手段（２２Ｂ）とからなる上部固定金具（２２）を介して前記コンクリート壁（２６）に取り付けたことを特徴とする請求項２記載の天井下地構造。
【請求項４】
前記結合用ボルト（１０）を、前記吊りボルト（３）で兼用したことを特徴とする請求項１，２および３のいずれか一項記載の天井下地構造。
【発明の詳細な説明】
【技術分野】
【０００１】
本願発明は、天井下地構造に関し、さらに詳しくはぶどう棚構造の天井下地構造に関するものである。
【背景技術】
【０００２】
従来型の天井下地構造としては、野縁と該野縁と直交する野縁受けとからなり、建物の構造体から吊りボルトで吊り下げて支持されたものがある(例えば、特許文献１参照) 。
【先行技術文献】
【特許文献】
【０００３】
【特許文献１】特開２００８−５０７８４号公報
【発明の概要】
【発明が解決しようとする課題】
【０００４】
ところで、上記特許文献１に開示されている天井下地構造の場合、野縁に対して天井仕上げボードが専用のビスで取り付けられることとなっている。ところで、野縁と該野縁と直交する野縁受けとを直接結合する必要があるが、野縁と野縁受けとの両方を四角筒形状とした場合、野縁と野縁受けとを結合する構造が重要となる。
【０００５】
例えば、四角筒形状の野縁と野縁受けとをビスを用いて結合する場合、四角筒において天井仕上げボードを取り付ける面と野縁受けを取り付ける面との間の距離が長くなるところから、取付用ビスとして長めのものが必要となるとともに、取付用ビスの取付作業も複なものとなるおそれがある。
【０００６】
本願発明は、上記のような課題を解決するために行われたものであり、ぶどう棚構造に対して四角筒形状の野縁（即ち、四角筒形状の部材）を容易且つ作業性良く直接取付けることができるようにした天井下地構造を提供することを目的としてなされたものである。
【課題を解決するための手段】
【０００７】
本願発明では、上記課題を解決するための第１の手段として、所定間隔で平行に並ぶ多数の中空な第１の金属製角形筒１，１・・と該金属製角形筒１，１・・に直交して所定間隔で平行に並ぶ多数の第２の金属製角形筒２，２・・とからなり、前記第１の金属製角形筒１，１・・あるいは前記第２の金属製角形筒２，２・・を吊りボルト３, ３・・を用いて建物の構造物２６から吊り下げるように構成された天井下地構造において、前記第１の金属製角形筒１，１・・うちの選ばれたものと前記第２の金属製角形筒２，２・・のうちの選ばれたものとに、両者を貫通する挿通孔１ａ，２ａを予じめ形成するとともに、該挿通孔１ａ，２ａに対して嵌挿される結合用ボルト１０により両者を結合している。
【０００８】
上記のように構成したことにより、第１の金属製角形筒１，１・・と第２の金属製角形筒２，２・・とを結合するに際して、予じめ形成された両者を貫通する挿通孔１ａ，２ａに結合用ボルト１０を嵌挿するだけで、第１の金属製角形筒１と第２の金属製角形筒２とを直接強固に結合させることが可能となる。つまり、第１の金属製角形筒１と第２の金属製角形筒２とを容易かつ素早く結合することが可能となるのである。
【０００９】
本願発明では、さらに、上記課題を解決するための第２の手段として、上記第１の手段を備えた天井下地構造において、前記第１の金属製角形筒１．１・・あるいは前記第２の金属製角形筒２，２・・のうちの選ばれたものと前記建物の構造物２６とを、中空な金属製角形筒からなる斜め補強部材２０で連結することもでき、そのように構成した場合、第１の金属製角形筒１，１・・あるいは第２の金属製角形筒２，２・・のうちの選ばれたものと建物の構造物２６とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００１０】
本願発明では、さらに、上記課題を解決するための第３の手段として、上記第２の手段を備えた天井下地構造において、前記斜め補強部材２０の上端部を、該斜め補強部材２０の上端部における相対向する二面を抱持した状態で取り付けられる一対の抱持片２ａ，２２ａにおける前記斜め補強部材２０の上端側を連結片２２ｉで一体に連結してなる取付手段２２Ａと、前記建物の構造物であるコンクリート壁２６に対して下向きに取り付けた断面コ字状の結合手段２２Ｂとからなる上部固定金具２２を介して前記コンクリート壁２６に取り付けることもでき、そのように構成した場合、取付手段２２Ａおよび結合手段２２Ｂ（即ち、上部固定金具２２）の剛性が大幅に強化されることとなり、耐振性が著しく向上することとなる。
【００１１】
本願発明では、さらに、上記課題を解決するための第４の手段として、上記第１、第２又は第３の手段を備えた天井下地構造において、前記結合用ボルト１０を、前記吊りボルト３で兼用する構成とすることもでき、そのように構成した場合、結合用ボルト１０と吊りボルト３とが兼用できるところから、部品点数の低減によるコストダウンを図ることができる。
【発明の効果】
【００１２】
本願発明の第１の手段によれば、所定間隔で平行に並ぶ多数の中空な第１の金属製角形筒１，１・・と該金属製角形筒１，１・・に直交して所定間隔で平行に並ぶ多数の第２の金属製角形筒２，２・・とからなり、前記第１の金属製角形筒１，１・・あるいは前記第２の金属製角形筒２，２・・を吊りボルト３, ３・・を用いて建物の構造物２６から吊り下げるように構成された天井下地構造において、前記第１の金属製角形筒１，１・・と前記第２の金属製角形筒２，２・・とに、両者を貫通する挿通孔１ａ，２ａを予じめ形成するとともに、該挿通孔１ａ，２ａに対して嵌挿される結合用ボルト１０により両者を結合して、第１の金属製角形筒１，１・・と第２の金属製角形筒２，２・・とを結合するに際して、予じめ形成された両者を貫通する挿通孔１ａ，２ａに結合用ボルト１０を嵌挿するだけで、第１の金属製角形筒１と第２の金属製角形筒２とを直接強固に結合させることが可能となるようにしたので、第１の金属製角形筒１と第２の金属製角形筒２とを容易かつ素早く結合することが可能となるという効果がある。
【００１３】
本願発明の第２の手段におけるように、上記第１の手段を備えた天井下地構造において、前記第１の金属製角形筒１，１・・あるいは前記第２の金属製角形筒２，２・・のうちの選ばれたものと前記建物の構造物２６とを、中空な金属製角形筒からなる斜め補強部材２０で連結することもでき、そのように構成した場合、第１の金属製角形筒１，１・・あるいは第２の金属製角形筒２，２・・のうちの選ばれたものと建物の構造物２６とが、中空な金属製角形筒からなる斜め補強部材２０で連結されることにより、第１の金属製角形筒１，１・・あるいは第２の金属製角形筒２，２・・の上を作業員が安心して歩くことができるとともに、斜め補強部材２０を、捩れおよび上下左右方向に対する強度を有する中空な金属製角形筒で構成したことにより、地震時における激震に耐え得る耐震性能に優れた天井下地構造となる。
【００１４】
本願発明の第３の手段におけるように、上記第２の手段を備えた天井下地構造において、前記斜め補強部材２０の上端部を、該斜め補強部材２０の上端部における相対向する二面を抱持した状態で取り付けられる一対の抱持片２２ａ，２２ａにおける前記斜め補強部材２０の上端側を連結片２２ｉで一体に連結してなる取付手段２２Ａと、前記建物の構造物であるコンクリート壁２６に対して下向きに取り付けた断面コ字状の結合手段２２Ｂとからなる上部固定金具２２を介して前記コンクリート壁２６に取り付けることもでき、そのように構成した場合、取付手段２２Ａおよび結合手段２２Ｂ（即ち、上部固定金具２２）の剛性が大幅に強化されることとなり、耐振性が著しく向上することとなる。
【００１５】
本願発明の第４の手段におけるように、上記第１、第２又は第３の手段を備えた天井下地構造において、前記結合用ボルト１０を、前記吊りボルト３で兼用する構成とすることもでき、そのように構成した場合、結合用ボルト１０と吊りボルト３とが兼用できるところから、部品点数の低減によるコストダウンを図ることができる。
【図面の簡単な説明】
【００１６】
【図１】本願発明の第１の実施の形態にかかる天井下地構造を示す全体斜視図である。
【図２】図１に示す天井下地構造における第１および第２の金属製角形筒の交差部の拡大斜視図である。
【図３】図１に示す天井下地構造における第１の金属製角形筒と吊りボルトの下端部との結合構造を示す拡大斜視図である。
【図４】図１に示す天井下地構造における第１の金属製角形筒と吊りボルトの下端部との結合構造において使用された支持金具の拡大斜視図である。
【図５】図１に示す天井下地構造における吊りボルトの上端部の取付状態を示す拡大斜視図である。
【図６】図１に示す天井下地構造における斜め補強部材の下端部が取り付けられる部材（支持部材）と第１の金属製角形筒との取付状態を示す拡大斜視図である。
【図７】図１に示す天井下地構造における斜め補強部材の下端部が取り付けられる部材（支持部材）の両端と第１の金属製角形筒との取付部分に用いられる固定金具の拡大斜視図である。
【図８】図１に示す天井下地構造における斜め補強部材の下端部の取付状態を示す拡大斜視図である。
【図９】図１に示す天井下地構造における斜め補強部材の上端部の取付状態を示す拡大斜視図である。
【図１０】図１に示す天井下地構造における斜め補強部材の上端部の他の取付状態を示す拡大斜視図である。
【図１１】本願発明の第１の実施の形態にかかる天井下地構造における第１の金属製角形筒、第２の金属製角形筒および斜め補強部材を構成する金属製角形筒の構造を示す拡大斜視図である。
【図１２】本願発明の第２の実施の形態にかかる天井下地構造における第１および第２の金属製角形筒の結合部を示す拡大斜視図である。
【発明を実施するための形態】
【００１７】
以下、添付の図面を参照して、本願発明の幾つかの実施の形態について説明する。
【００１８】
第１の実施の形態
図１ないし図１１には、本願発明の第１の実施の形態にかかる天井下地構造が示されている。
【００１９】
この天井下地構造は、図１に示すように、所定間隔で平行に並ぶ多数の中空な第１の金属製角形筒１，１・・と該第１の金属製角形筒１，１・・の下側において該第１の金属製角形筒１，１・・に直交して所定間隔で平行に並ぶ多数の中空な第２の金属製角形筒２，２・・とからなり、前記第２の金属製角形筒２，２・・のうちの選ばれたものを吊りボルト３, ３・・を用いて建物の構造物（例えば、天井裏のコンクリート壁２６）から吊り下げるように構成されている。
【００２０】
前記金属製角形筒１，２の交差部には、両者を貫通する挿通孔１ａ，２ａが予じめ形成されており、該挿通孔１ａ，２ａに対して嵌挿される結合用ボルト１０により両者は結合されている（図２参照）。さらに、前記吊りボルト３の下端部は、図３に示すように、支持金具２５を介して前記第１の金属製角形筒１に支持されている。該支持金具２５は、図４に示すように、前記吊りボルト３の下端に対して螺着された下向きコ字状の上部支持金具２５ａと、前記第１の金属製角形筒１を抱持した状態でビス止めされた上向きコ字状の下部支持金具２５ｂとからなっており、該下部支持金具２５ｂの上端部と前記上部支持金具２５ａの下端部とはボルト２５ｃで結合されている。
【００２１】
前記吊りボルト３の上端部は、図５に示すように、建物の構造物（例えば、天井裏のコンクリート壁２６）に埋め込まれたインサート部材３４に螺着固定されている。
【００２２】
そして、前記第１の金属製角形筒１，１・・のうちの選ばれたもの同士は、後述する斜め補強部材２０，２０の下端部を結合するための金属製角形筒からなる水平な支持部材２１によって連結されている（図６および図８参照）。該支持部材２１の両端と金属製角形筒１，１・・のうちの選ばれたものの側面とは、固定金具２７を介して結合されている。該固定金具２７は、図７に拡大視するように、前記金属製角形筒１の側面に対してネジにより固着される基部２７ａと、該基部２７ａの両側端から同方向に直角に屈曲延設され、前記支持部材２１の相対向する２側面にネジ２９，２９・・により固着される一対の抱持部２７ｂ，２７ｂとによって構成されており、該両抱持部２７ｂ，２７ｂの一端側における略半分部分には、前記支持部材２１を位置決めする位置決め用突片２７ｃ，２７ｃが直角に屈曲されて一体に形成されている。なお、前記斜め補強部材２０の下端部は、前記第１の金属製角形筒１，１・・あるいは前記第２の金属製角形筒２，２・・のうちの選ばれたものに対して直接連結する場合もあるが、前記第１の金属製角形筒１，１・・のうちの選ばれたもの同士を、平行に並ぶ一対の支持部材２１，２１で連結し、該支持部材２１，２１間を連結する連結部材を設け、該連結部材に前記斜め補強部材２０の下端部を結合するようにする場合もある。
【００２３】
さらに、前記抱持部２７ｂ，２７ｂにおける前記基部２７ａ側端部の一部（即ち、中央部）を該基部２７ａと連続するように切り起こして前記金属製角形筒１にネジ２８により固着される支持部２７ｄ，２７ｄが設けられている。符号３０は支持部２７ｄを切り起こした跡に形成される開口部、３１は開口部３０の両側に形成された補強用ビードである。
【００２４】
さらまた、前記支持部２７ｄ，２７ｄと前記基部２７ａとに跨がって連続する補強用ビード３２が形成されている。該補強用ビード３２の頂面３２ａは平面とされており、該頂面３２ａには、前記ネジ２８を螺着するためのネジ穴が所定間隔で形成されている。
【００２５】
ところで、上記固定金具２７と金属製角形筒１との取付強度を強化する必要があるところから、金属製角形筒１における支持部材２１の両端が突き合わせる部分には、補強板３３が取り付けられる。
【００２６】
上記したように、金属製角形筒１における支持部材２１の両端が突き合わせる部分に補強板３３を取り付けることにより、当該部分における鉄板の厚さが２枚板のようになるところから、固定金具２７を取り付けるためのネジ２８の締め付け強度が格段に向上することとなる。従って、地震発生時に揺れが繰り返した場合にも、金属製角形筒１と固定金具２７とを締結しているネジ２８が緩むおそれがなくなり、より一層耐震強度が向上することとなる。
【００２７】
前記斜め補強部材２０の下端部と前記支持部材２１との間には、図８に示すように、該斜め補強部材２０の下端部における相対向する二面を抱持した状態でビス２１ｂ，２１ｂ・・で取り付けられる一対の抱持片２１ａ，２１ａを備えた取付手段２１Ａと前記支持部材２１に対して結合される結合手段２１Ｂとを備えた下部固定金具２３が介設されている。この場合、前記取付手段２１Ａは、前記抱持片２１ａ，２１ａと該抱持片２１ａ，２１ａの下端間を一体に連結する連結片２１ｃにより一体に連結される一方、前記結合手段２１Ｂは、前記支持部材２１おける相対向する二面を抱持した状態でビス２１ｄ，２１ｄ・・で取り付けられる一対の抱持片２１ｅ，２１ｅと該抱持片２１ｅ，２１ｅの上端間を一体に連結する連結片２１ｆとからなっており、前記連結片２１ｃと前記連結片２１ｆとはボルト２１ｇで結合されている。このようにすると、斜め補強部材２０の下端部と支持部材２１との結合強度が大幅に強化されることとなり、取付が簡単になるとともに、より一層耐震性能に優れたものとなる。
【００２８】
また、前記斜め補強部材２０の上端部には、図９に示すように、前記斜め補強部材２０の上端部における相対向する二面を抱持した状態で取り付けられる一対の抱持片２２ａ，２２ａを備えた取付手段２２Ａと前記コンクリート壁２６に対して結合される結合手段２２Ｂとを備えた上部固定金具２２が取り付けられている。該上部固定金具２２における取付手段２２Ａは、前記抱持片２２ａ，２２ａの上端に一体に形成されたＬ字状連結片２２ｈ，２２ｈを備えており、該Ｌ字状連結片２２ｈ，２２ｈに対してＬ字状の結合手段２２Ｂをボルト２２ｂで結合させて構成されている。
【００２９】
ところで、上記したように、Ｌ字状連結片２２ｈ，２２ｈに対してＬ字状の結合手段２２Ｂをボルト２２ｂで結合させた構成の場合、地震等の振動により、Ｌ字状の結合手段２２Ｂが変形し易いという不具合が発生するおそれがある。そこで、図１０に示すように、前記取付手段２２Ａを、前記抱持片２２ａ，２２ａにおける斜め補強部材２０の上端側を連結片２２ｉで一体に連結した構成とする一方、前記結合手段２２Ｂを、前記コンクリート壁２６に対してボルト２２ｆを用いて下向きに取り付けた断面コ字状の部材で構成しており、前記抱持片２２ａ，２２ａの上端部を、前記結合手段２２Ｂにおける一対の開放端部２２ｇ，２２ｇに対してボルト２２ｂにより固着する構成となっている。このようにすると、取付手段２２Ａおよび結合手段２２Ｂ（即ち、上部固定金具２２）の剛性が大幅に強化されることとなり、耐振性が著しく向上することとなる。符号２２ｊは前記抱持片２２ａ，２２ａの上端間の間隔を保持するためのスペーサであり、前記ボルト２２ｂが内挿される。
【００３０】
そして、前記各第１の金属製角形筒１、前記各第２の金属製角形筒２および前記各斜め補強部材２０は、図１１に示すように、所定の幅に切断された金属板をその両端がコーナの一点において接するように四角筒状に折曲して構成された中空な金属板四角筒によって構成されている。前記金属板の一方の端部には、前記金属板角形筒の内側に折曲され、さらにその先端部が外側に向かって折曲されてなる逆Ｊ字状折曲部ａ が設けられ、前記金属板の他方の端部には、内側に逆Ｕ字状折曲部ｂが設けられており、両者を連続して嵌合圧着せしめて水平方向に連続するコーナ型接続部ｃとして成形されている。そして、該コーナ型接続部ｃにおける逆Ｕ宇状折曲部ｂの基端から内側に向かってコの字状に突出するリブｄが水平方向に連続して形成されている。このように構成したことにより、金属製角形筒のいずれの四面を、開口形成部およびボード貼付面として選択することが可能となる。また、コーナ型接続部ｃの外れをリブｄにより防止できるとともに金属製角形筒の剛性強化も図れる。
【００３１】
第２の実施の形態
図１２には、本願発明の第２の実施の形態にかかる天井下地構造が示されている。
【００３２】
この場合、吊りボルト３の位置と直交させた第１および第２の金属製角形筒における挿通孔１ａ，２ａの穴位置が一致する場合を示しており、挿通孔１ａ，２ａに対して嵌挿される結合用ボルトに代えて吊りボルト３が使用されている。このようにすると、結合用ボルトと吊りボルトとを兼用することが可能となり、構造の簡略化およびコストダウンとを図ることができる。符号３５はナット、３６は座金である。なお、座金３６としては、図示の丸座金のほか、角座金あるいは断面コ字状の座金を使用することも可能である。
【００３３】
その他の構成および作用効果は、第１の実施の形態におけると同様なので、説明を省略する。
【００３４】
また、上記各実施の形態においては、斜め補強部材の上端部と吊りボルトの上端部とは建物の構造物であるコンクリート壁に対して別個に取り付けられているが、建物の構造物としてＨ形鋼を用い、斜め補強部材の上端部と吊りボルトの上端部とをＨ形鋼を介して結合する構造とすることも可能である。
【００３５】
なお、本願発明は、上記各実施の形態において説明したものに限定されるものではなく、発明の要旨を逸脱しない範囲において適宜設計変更可能なことは勿論である。
【符号の説明】
【００３６】
１は第１の金属製角形筒 
１ａは挿通孔
２は第２の金属製角形筒
２ａは挿通孔
３は吊りボルト 
１０は結合用ボルト
２０は斜め補強部材
２２は上部固定金具
２２Ａは取付手段
２２Ｂは結合手段
２２ａは抱持片
２２ｂはボルト
２２ｇは開放端部
２２ｉは連結片
２６は建物の構造物（コンクリート壁）
【図１】
2014177860.tif 000003
【図２】
2014177860.tif 000004
【図３】
2014177860.tif 000005
【図４】
2014177860.tif 000006
【図５】
2014177860.tif 000007
【図６】
2014177860.tif 000008
【図７】
2014177860.tif 000009
【図８】
2014177860.tif 000010
【図９】
2014177860.tif 000011
【図１０】
2014177860.tif 000012
【図１１】
2014177860.tif 000013
【図１２】
2014177860.tif 000014